(57)【要約】【課題】ＵＨＦ放送よりも高い周波数の電波とＵＨＦ放送の電波を高利得で受信することが可能なアンテナ装置を提供する。【解決手段】このアンテナ装置は、衛星放送受信用の平面アンテナ１と、平面アンテナ１の裏面に対向して設けられた地板２と、ＵＨＦ放送受信用のダイポールアンテナ５と、地板２に対してダイポールアンテナ５を回転可能に支持するとともに、ダイポールアンテナ５の向きを固定する回転支持部材７およびボルト９を備える。したがって、ダイポールアンテナ５の向きを調整することにより、ＵＨＦ放送の電波を高い利得で受信できる。【選択図】図１
2012039538.tif 000002
【特許請求の範囲】
【請求項１】
ＵＨＦ放送よりも高い周波数の電波を受信する平面アンテナと、
前記平面アンテナの裏面に対向して設けられた地板と、
ＵＨＦ放送の電波を受信するダイポールアンテナと、
前記地板に対して前記ダイポールアンテナを回転可能に支持するとともに、前記ダイポールアンテナの向きを固定する回転支持機構とを備え、
前記ダイポールアンテナを前記平面アンテナの正面方向に向けたとき、前記平面アンテナの正面から見ると前記ダイポールアンテナは前記平面アンテナの外周の外側に設けられている、アンテナ装置。
【請求項２】
前記平面アンテナおよび前記地板の各々は円形であり、
前記ダイポールアンテナを前記平面アンテナの正面方向に向けたとき、前記ダイポールアンテナは前記平面アンテナの外周に沿うように円弧状に形成されている、請求項１に記載のアンテナ装置。
【請求項３】
反射鏡およびその焦点に配置された受信部を含み、ＵＨＦ放送よりも高い周波数の電波を受信するパラボラアンテナと、
ＵＨＦ放送の電波を受信するダイポールアンテナと、
前記反射鏡に対して前記ダイポールアンテナを回転可能に支持するとともに、前記ダイポールアンテナの向きを固定する回転支持機構とを備え、
前記ダイポールアンテナを前記反射鏡の正面方向に向けたとき、前記反射鏡の正面から見ると前記ダイポールアンテナは前記反射鏡の外周の外側に設けられている、アンテナ装置。
【請求項４】
前記ダイポールアンテナを前記反射鏡の正面方向に向けたとき、前記ダイポールアンテナは前記反射鏡の外周に沿うように円弧状に形成されている、請求項３に記載のアンテナ装置。
【請求項５】
ＵＨＦ放送よりも高い周波数の電波を受信する平面アンテナと、
前記平面アンテナの裏面に対向して設けられた地板と、
前記平面アンテナの正面から見て前記平面アンテナに隣接して設けられ、ＵＨＦ放送の電波を受信するホイップアンテナと、
前記地板に対して前記ホイップアンテナの基端部を回動可能に支持するとともに、前記ホイップアンテナの向きを固定する回動支持機構とを備える、アンテナ装置。
【請求項６】
反射鏡およびその焦点に配置された受信部を含み、ＵＨＦ放送よりも高い周波数の電波を受信するパラボラアンテナと、
前記反射鏡の正面から見て前記反射鏡に隣接して設けられ、ＵＨＦ放送の電波を受信するホイップアンテナと、
前記反射鏡に対して前記ホイップアンテナの基端部を回動可能に支持するとともに、前記ホイップアンテナの向きを固定する回動支持機構とを備える、アンテナ装置。
【請求項７】
前記ホイップアンテナおよび前記回動支持機構は複数組設けられ、
さらに、複数の前記ホイップアンテナによって受信された電波を合成する合成回路を備える、請求項５または請求項６に記載のアンテナ装置。
【請求項８】
ＵＨＦ放送よりも高い周波数の電波を受信する平面アンテナと、
前記平面アンテナの裏面に対向して設けられた第１の地板と、
前記平面アンテナの正面から見て前記平面アンテナに隣接して設けられ、ＵＨＦ放送の電波を受信する複数のホイップアンテナと、
前記第１の地板および前記複数のホイップアンテナの裏面に対向して設けられた第２の地板と、
前記複数のホイップアンテナによって受信された電波の位相をずらして合成し、前記複数のホイップアンテナの指向性を調整する位相器とを備える、アンテナ装置。
【請求項９】
前記ＵＨＦ放送よりも高い周波数の電波は衛星放送の電波である、請求項１から請求項８までのいずれかに記載のアンテナ装置。
【発明の詳細な説明】
【技術分野】
【０００１】
この発明はアンテナ装置に関し、特に、衛星放送とＵＨＦ（Ultra-High Frequency)放送の両方の電波を受信するアンテナ装置に関する。
【背景技術】
【０００２】
近年、ＵＨＦ帯の電波を利用した地上波デジタル放送が実用化されている。地上波デジタル放送（ＵＨＦ放送）を受信するためにはＵＨＦアンテナが必要である。また、衛星放送を受信するためには、放送衛星（ＢＳ；Broadcasting Satellite)からの電波を受信するためのパラボラアンテナのようなＢＳアンテナが必要である。
【０００３】
また、ＵＨＦ放送と衛星放送の両方を受信するアンテナ装置として、オフセット型パラボラアンテナの反射鏡の焦点に配置された受信部にＵＨＦアンテナを固定したものがある（特許文献１参照）。
【先行技術文献】
【特許文献】
【０００４】
【特許文献１】特開２００７−６０００９号公報
【発明の概要】
【発明が解決しようとする課題】
【０００５】
しかし、特許文献１のアンテナ装置では、反射鏡の焦点側にＵＨＦアンテナを固定したので、反射鏡の裏面側から到来する電波を受信することができなかった。また、衛星放送の受信を妨げずに大きなＵＨＦアンテナを設けることは困難であった。このため、アンテナ装置の利得が低いと言う問題があった。
【０００６】
それゆえに、この発明の主たる目的は、ＵＨＦ放送よりも高い周波数の電波とＵＨＦ放送の電波を高利得で受信することが可能なアンテナ装置を提供することである。
【課題を解決するための手段】
【０００７】
この発明に係るアンテナ装置は、ＵＨＦ放送よりも高い周波数の電波を受信する平面アンテナと、平面アンテナの裏面に対向して設けられた地板と、ＵＨＦ放送の電波を受信するダイポールアンテナと、地板に対してダイポールアンテナを回転可能に支持するとともに、ダイポールアンテナの向きを固定する回転支持機構とを備えたものである。ダイポールアンテナを平面アンテナの正面方向に向けたとき、平面アンテナの正面から見るとダイポールアンテナは平面アンテナの外周の外側に設けられている。したがって、ダイポールアンテナの向きを調整することにより、ＵＨＦ放送の電波を高い利得で受信することができる。
【０００８】
好ましくは、平面アンテナおよび地板の各々は円形であり、ダイポールアンテナを平面アンテナの正面方向に向けたとき、ダイポールアンテナは平面アンテナの外周に沿うように円弧状に形成されている。この場合は、装置寸法の小型化を図ることができる。
【０００９】
また、この発明に係る他のアンテナ装置は、反射鏡およびその焦点に配置された受信部を含み、ＵＨＦ放送よりも高い周波数の電波を受信するパラボラアンテナと、ＵＨＦ放送の電波を受信するダイポールアンテナと、反射鏡に対してダイポールアンテナを回転可能に支持するとともに、ダイポールアンテナの向きを固定する回転支持機構とを備えたものである。ダイポールアンテナを反射鏡の正面方向に向けたとき、反射鏡の正面から見るとダイポールアンテナは反射鏡の外周の外側に設けられている。したがって、ダイポールアンテナの向きを調整することにより、ＵＨＦ放送の電波を高い利得で受信することができる。
【００１０】
好ましくは、ダイポールアンテナを反射鏡の正面方向に向けたとき、ダイポールアンテナは反射鏡の外周に沿うように円弧状に形成されている。この場合は、装置寸法の小型化を図ることができる。
【００１１】
また、この発明に係るさらに他のアンテナ装置は、ＵＨＦ放送よりも高い周波数の電波を受信する平面アンテナと、平面アンテナの裏面に対向して設けられた地板と、平面アンテナの正面から見て平面アンテナに隣接して設けられ、ＵＨＦ放送の電波を受信するホイップアンテナと、地板に対してホイップアンテナの基端部を回動可能に支持するとともに、ホイップアンテナの向きを固定する回動支持機構とを備えたものである。したがって、ホイップアンテナの向きを調整することにより、ＵＨＦ放送の電波を高い利得で受信することができる。
【００１２】
また、この発明に係る他のアンテナ装置は、反射鏡およびその焦点に配置された受信部を含み、ＵＨＦ放送よりも高い周波数の電波を受信するパラボラアンテナと、反射鏡の正面から見て反射鏡に隣接して設けられ、ＵＨＦ放送の電波を受信するホイップアンテナと、反射鏡に対してホイップアンテナの基端部を回動可能に支持するとともに、ホイップアンテナの向きを固定する回動支持機構とを備えたものである。したがって、ホイップアンテナの向きを調整することにより、ＵＨＦ放送の電波を高い利得で受信することができる。
【００１３】
好ましくは、ホイップアンテナおよび回動支持機構は複数組設けられ、さらに、複数のホイップアンテナによって受信された電波を合成する合成回路を備える。この場合は、さらに利得を高めることができる。
【００１４】
また、この発明に係るさらに他のアンテナ装置は、ＵＨＦ放送よりも高い周波数の電波を受信する平面アンテナと、平面アンテナの裏面に対向して設けられた第１の地板と、平面アンテナの正面から見て平面アンテナに隣接して設けられ、ＵＨＦ放送の電波を受信する複数のホイップアンテナと、第１の地板および複数のホイップアンテナの裏面に対向して設けられた第２の地板と、複数のホイップアンテナによって受信された電波の位相をずらして合成し、複数のホイップアンテナの指向性を調整する位相器とを備えたものである。したがって、ホイップアンテナの指向性を調整することにより、ＵＨＦ放送の電波を高い利得で受信することができる。
【００１５】
好ましくは、ＵＨＦ放送よりも高い周波数の電波は衛星放送の電波である。この場合は、衛星放送の電波とＵＨＦ放送の電波の両方を受信することができる。
【発明の効果】
【００１６】
以上のように、この発明に係るアンテナ装置では、ＵＨＦ放送よりも高い周波数の電波とＵＨＦ放送の電波を高利得で受信することができる。
【図面の簡単な説明】
【００１７】
【図１】この発明の実施の形態１によるアンテナ装置の構成を示す図である。
【図２】図１に示した地板の構成を示す図である。
【図３】図１に示した給電ボックスの構成を示す図である。
【図４】図１に示した回転支持部材の構成を示す断面図である。
【図５】図１に示した受信部の構成を示すブロック図である。
【図６】この発明の実施の形態２によるアンテナ装置の構成を示す図である。
【図７】図６に示した回転支持部材の構成を示す図である。
【図８】この発明の実施の形態３によるアンテナ装置の構成を示す正面図である。
【図９】図８に示したアンテナ装置から平面アンテナを除去した状態を示す図である。
【図１０】図９に示した回転支持部材の構成を示す図である。
【図１１】図８に示しアンテナ装置の構成を示す後面図である。
【図１２】図１１に示した受信部の構成を示すブロック図である。
【図１３】この発明の実施の形態４によるアンテナ装置の構成を示す正面図である。
【図１４】図１３に示したアンテナ装置の構成を示す後面図である。
【図１５】この発明の実施の形態５によるアンテナ装置の構成を示す図である。
【図１６】図１５のＸＶＩ−ＸＶＩ線断面図である。
【図１７】図１６に示した受信部の構成を示すブロック図である。
【発明を実施するための形態】
【００１８】
[実施の形態１]
図１（ａ）は本発明の実施の形態１によるアンテナ装置の構成を示す正面図であり、図１（ｂ）はその側面図である。図１（ａ）（ｂ）において、このアンテナ装置は、平面アンテナ１、地板２、および受信部３を備える。平面アンテナ１は、ラジアルスロットラインアンテナであり、衛星放送の電波を受信する。平面アンテナ１は、所定の直径の円形の金属板（たとえば銅板）で形成されている。円形の金属板には、複数の同心円に沿って多数のハの字を書くように、多数のスロット１ａが形成されている。
【００１９】
地板２は、平面アンテナ１と同径の円形の金属板（たとえばアルミニウム板）で形成されている。平面アンテナ１と地板２は、所定の隙間を開けて平行に配置されている。平面アンテナ１と地板２の中心線は一致しており、地板２の表面は平面アンテナ１の裏面に対向して配置されている。平面アンテナ１は、絶縁材料で形成された複数のスペーサ４を介して地板２に固定されている。
【００２０】
地板２の中心には、図２に示すように、孔２ａが開口されている。放送衛星からの電波は、平面アンテナ１によって孔２ａに収束される。受信部３は、地板２の裏側から孔２ａを覆うようにして地板２の裏面の中央に設けられている。受信部３については、後述する。
【００２１】
図１（ａ）（ｂ）に戻って、このアンテナ装置は、さらに、ダイポールアンテナ５、給電ボックス６、および回転支持部材７を備える。ダイポールアンテナ５は、２つの放射素子５ａ，５ｂを含み、ＵＨＦ放送の電波を受信する。２つの放射素子５ａ，５ｂの各々は、ダイポールアンテナ５を平面アンテナ１の正面方向に向けたときに、平面アンテナ１の外周の外側に設けられ、平面アンテナ１の外周に沿うように円弧状に形成されている。
【００２２】
給電ボックス６は、図３に示すように、直方体状に形成されており、その下端面には円柱状の回転軸８が垂直に設けられている。放射素子５ａ，５ｂの基端部は、給電ボックス６の左右の端面を貫通して給電ボックス６内に固定されている。
【００２３】
回転支持部材７は、図４に示すように、角柱状に形成されており、その中心には円形の孔７ａが形成されている。回転支持部材７は、孔７ａを垂直方向に向けて、地板２の上端部の中央に固定される。孔７ａは、回転軸８よりも若干大きな径を有する。回転軸８は、孔７ａに挿入され、回転支持部材７によって回転可能に支持される。回転支持部材７には、孔７ａと直交するネジ孔７ｂが形成されている。ネジ孔７ｂにはボルト９が螺合される。ダイポールアンテナ５が最適な方向に向けられると、ボルト９が締め込まれ、ボルト９の先端によって回転軸８が固定され、ダイポールアンテナ５の向きが固定される。
【００２４】
ダイポールアンテナ５の２つの給電点は、図１（ｂ）に示すように、給電ボックス６内のバラン（図示せず)を介して同軸線１０の一方端に接続され、同軸線１０の他方端は受信部３に接続される。
【００２５】
受信部３は、図５に示すように、プローブ１１、コンバーター１２、および合成回路１３を含む。プローブ１１は、地板２の孔２ａの中心に配置され、平面アンテナ１によって収束された放送衛星からの電波を受信する。コンバーター１２は、プローブ１１によって受信された衛星放送の電波を衛星放送中間周波信号φＡに変換する。合成回路１３は、コンバーター１２で変換された衛星放送中間周波信号φＡと、ダイポールアンテナ５から給電ボックス６および同軸線１０を介して供給される地上波受信信号φＢとを合成し、合成されたテレビ放送信号φＣを出力する。テレビ放送信号φＣは、図１（ｂ）に示すように、同軸線１４を介してテレビ受信機(図示せず)に供給される。
【００２６】
この実施の形態１では、衛星放送受信用の平面アンテナ１の上端部にＵＨＦ放送受信用のダイポールアンテナ５を回転可能に設けたので、平面アンテナ１の裏面方向から到来するＵＨＦ放送の電波も受信できる。したがって、ＵＨＦ放送の電波を高い利得で受信することができる。
【００２７】
また、ダイポールアンテナ５を平面アンテナ１の正面方向に向けたとき、ダイポールアンテナ５が平面アンテナ１の外周に沿うようにダイポールアンテナ５を円弧状に形成したので、装置寸法の小型化を図ることができる。
【００２８】
なお、この実施の形態１では、ダイポールアンテナ５を円弧状に形成したが、直線状に形成してもよいし、Ｖ字型に形成してもよい。Ｖ字型のダイポールアンテナ５では、放射素子５ａ，５ｂの各々は直線状に形成される。また、放射素子５ａ，５ｂの各々は、平面アンテナ１の正面から見て、平面アンテナ１の外周に近付くように斜めに配置される。
【００２９】
また、この実施の形態１では、平面アンテナ１によって衛星放送の電波を受信したが、これに限るものではなく、平面アンテナ１によってＵＨＦ放送の電波よりも高い周波数の電波、たとえば、２．４ＧＨｚ帯の無線ＬＡＮ（Local Area Network）の電波やミリ波を受信してもよい。
【００３０】
[実施の形態２]
図６（ａ）（ｂ）は、この発明の実施の形態２によるアンテナ装置の構成を示す図であって、図１（ａ）（ｂ）と対比される図である。このアンテナ装置が図１（ａ）（ｂ）のアンテナ装置と異なる点は、平面アンテナ１がオフセット型のパラボラアンテナ２０で置換されている点である。
【００３１】
パラボラアンテナ２０は、反射鏡２１と、反射鏡２１の焦点に配置された受信部２２とを含む。受信部２２はアーム２３の先端に固定され、アーム２３の基端は反射鏡２１の裏面に固定されている。受信部２２は、反射鏡２１によって収束された放送衛星からの電波を衛星放送中間周波信号φＡに変換する。反射鏡２１の裏面には、合成回路部２４が設けられている。受信部２２で変換された衛星放送中間周波信号φＡは、同軸線２５を介して合成回路部２４に与えられる。合成回路部２４については、後述する。
【００３２】
回転支持部材７は、反射鏡２１の上端の中央部を挟み込んでボルト２６によって固定されている。すなわち図７に示すように、回転支持部材７の下面には、反射鏡２１の上端部を挿入するための溝７ｃが形成されている。また、回転支持部材７の正面の下側から斜め上方向にネジ孔７ｄが形成されており、ネジ孔７ｄは溝７ｃの側壁に連通している。ボルト２６は、ネジ孔７ｄに螺合されている。回転支持部材７の溝７ｃに反射鏡２１の上端の中央部を挿入してボルト２６を締め込むと、回転支持部材７は反射鏡２１の上端の中央部に垂直に固定される。
【００３３】
図６（ａ）（ｂ）に戻って、ダイポールアンテナの放射素子５ａ，５ｂの各々は、ダイポールアンテナ５を平面アンテナ１の正面方向に向けたときに、平面アンテナ１の外周の外側に設けられ、平面アンテナ１の外周に沿うように円弧状に形成されている。ダイポールアンテナ５は、実施の形態１と同様、給電ボックス６、回転軸８および回転支持部材７によって回転可能に支持されている。ダイポールアンテナ５を最適な向きに調整し、ボルト９を締め込むことにより、ダイポールアンテナ５の向きを固定することができる。
【００３４】
ダイポールアンテナ５の２つの給電点は、給電ボックス６内のバラン（図示せず)を介して同軸線１０の一方端に接続され、同軸線１０の他方端は合成回路部２４に接続される。
【００３５】
合成回路部２４は、受信部２２から同軸線２５を介して供給される衛星放送中間周波信号φＡと、ダイポールアンテナ５から給電ボックス６および同軸線１０を介して供給される地上波受信信号φＢとを合成し、合成されたテレビ放送信号φＣを出力する。テレビ放送信号φＣは、同軸線１４を介してテレビ受信機(図示せず)に供給される。
【００３６】
この実施の形態２では、衛星放送受信用のパラボラアンテナ２０の反射鏡２１の上端部にＵＨＦ放送受信用のダイポールアンテナ５を回転可能に設けたので、反射鏡２１の裏面方向から到来するＵＨＦ放送の電波も受信できる。したがって、ＵＨＦ放送の電波を高い利得で受信することができる。
【００３７】
また、ダイポールアンテナ５を反射鏡２１の正面方向に向けたとき、ダイポールアンテナ５が反射鏡２１の外周に沿うようにダイポールアンテナ５を円弧状に形成したので、装置寸法の小型化を図ることができる。
【００３８】
[実施の形態３]
図８は、この発明の実施の形態３によるアンテナ装置の構成を示す正面図であって、図１（ａ）と対比される図である。図９は、図８から平面アンテナ１を除去した状態を示す図である。図８および図９において、このアンテナ装置は、衛星放送を受信する平面アンテナ１と、地板２とを備える。平面アンテナ１および地板２は、実施の形態１で説明したとおりであり。所定の間隔を開けて平行に配置されている。地板２の中心には、孔２ａが開口されている。
【００３９】
また、このアンテナ装置は、２つのホイップアンテナ３０，３１、２つの回動支持部材３２，３３、およびボルト３４，３５を備える。ホイップアンテナ３０，３１の各々は、二等辺三角形状の金属板（たとえば、銅板）で形成されており、ＵＨＦ放送の電波を受信する。ホイップアンテナ３０，３１の各々の長さは、ＵＨＦ放送の電波の波長をλとすると、約λ／２である。なお、ホイップアンテナ３０，３１の各々の長さをλ／４とすることも可能である。また、ローディング部材（たとえばコイル）をホイップアンテナ３０，３１の各々に設けることにより、アンテナ長を短縮することも可能である。地板２は、ホイップアンテナ３０，３１のアース素子として使用される。地板２の直径は、たとえば３６０ｍｍである。
【００４０】
回動支持部材３２は、地板２の図中の左端部にネジ等で固定され、ホイップアンテナ３０を回動可能に支持する。ボルト３４は、ホイップアンテナ３０の向きを固定するために用いられる。回動支持部材３３は、地板２の図中の右端部にネジ等で固定され、ホイップアンテナ３１を回動可能に支持する。ボルト３５は、ホイップアンテナ３１の向きを固定するために用いられる。
【００４１】
図１０は、回動支持部材３３の構成を例示する図である。図１０において、二等辺三角形のホイップアンテナ３１の頂点には、金属製の球体３１ａが設けられている。回動支持部材３３は、弾性を有する絶縁材料によって形成され、円筒部３３ａと、２枚の平板部３３ｂ，３３ｃと、突出部３３ｄとを含む。突出部３３ｄは、円筒部３３ａの基端の一方側から円筒部３３ａの長さ方向に突出している。突出部３３ｄは、地板２の裏面にネジ等によって固定される。また、円筒部３３ａの他方側には、その長さ方向に切り欠き部が形成されている。円筒部３３ａの先端部の内周部にはＵ字型の溝がリング状に形成されており、球体３１ａはその溝によって把持される。これにより、ホイップアンテナ３１は、球体３１ａを中心として回動可能に支持される。
【００４２】
また、平板部３３ｂ，３３ｃは、円筒部３３ａの切り欠き部の両側に互いに対向して設けられ、円筒部３３ａに接合されている。平板部３３ｂにはネジ孔が形成され、平板部３３ｃには丸孔が形成されている。ボルト３５は、平板部３３ｃの丸孔を介して平板部３３ｂのネジ孔に螺合されている。ホイップアンテナ３１を最適な向きに設定した後、ボルト３５を締め込むと、円筒部３３ａの内径が小さくなり、球体３１ａが円筒部３３ａの内周面によって固定され、ホイップアンテナ３１の向きが固定される。ホイップアンテナ３０および回動支持部材３２も、ホイップアンテナ３１および回動支持部材３３と同じ構成である。
【００４３】
図１１は、地板２の裏面側から見たアンテナ装置の構成を示す図である。地板２の裏面の中央部には、地板２の孔２ａを覆うようにして受信部３６が設けられている。ホイップアンテナ３０の基端部の給電点Ｐ３０には、同軸線３７の中心導体の一方端が接続され、その他方端は受信部３６に接続される。同軸線３７の外部導体は、地板２の外周部に接続される。また、ホイップアンテナ３１の基端部の給電点Ｐ３１には、同軸線３８の中心導体の一方端が接続され、その他方端は受信部３６に接続される。同軸線３８の外部導体は、地板２の外周部に接続される。
【００４４】
受信部３６は、図１２に示すように、プローブ４０、コンバーター４１、および合成回路４２を含む。プローブ４０は、地板２の孔２ａの中心に配置され、平面アンテナ１によって収束された衛星放送の電波を受信する。コンバーター４１は、プローブ４０によって受信された衛星放送の電波を衛星放送中間周波信号φＡに変換する。合成回路４２は、コンバーター４１で生成された衛星放送中間周波信号φＡと、ホイップアンテナ３０から同軸線３７を介して供給された地上波受信信号φＢ１と、ホイップアンテナ３１から同軸線３８を介して供給された地上波受信信号φＢ２とを合成し、合成されたテレビ放送信号φＣを出力する。
【００４５】
このとき、地上波受信信号φＢ１とφＢ２は位相が１８０度ずれているので、合成回路４２は地上波受信信号φＢ１，φＢ２のうちのいずれか一方の信号（たとえばφＢ２）の位相を１８０度ずらして他方の信号（この場合、φＢ１）と合成する。これにより、高い利得が得られる。テレビ放送信号φＣは、図１０に示すように、同軸線３９を介してテレビ受信機(図示せず)に供給される。
【００４６】
この実施の形態３では、衛星放送受信用の平面アンテナ１の左右にＵＨＦ放送受信用のホイップアンテナ３０，３１を回動可能に設けたので、平面アンテナ１の裏面方向から到来するＵＨＦ放送の電波も受信できる。したがって、ＵＨＦ放送の電波を高い利得で受信することができる。
【００４７】
また、平面アンテナ１とホイップアンテナ３０，３１で地板２を共用するので、装置寸法の小型化を図ることができる。
【００４８】
なお、この実施の形態３では、２つのホイップアンテナ３０，３１で生成された地上波受信信号φＢ１，φＢ２を合成したが、地上波受信信号φＢ１，φＢ２を合成せずに別々に使用してもよい。
【００４９】
[実施の形態４]
図１３は、この発明の実施の形態４によるアンテナ装置の構成を示す正面図であって、図８と対比される図である。図１３において、このアンテナ装置が図８のアンテナ装置と異なる点は、平面アンテナ１が図６のパラボラアンテナ２０で置換されている点である。
【００５０】
回動支持部材３２は、パラボラアンテナ２０の反射鏡２１の図中の左端部に固定され、ホイップアンテナ３０を回動可能に支持する。ボルト３４は、ホイップアンテナ３０の向きを固定するために用いられる。回動支持部材３３は、反射鏡２１の図中の右端部に固定され、ホイップアンテナ３１を回動可能に支持する。ボルト３５は、ホイップアンテナ３１の向きを固定するために用いられる。
【００５１】
図１４は、反射鏡２１の裏面側から見たアンテナ装置の構成を示す図である。反射鏡２１の裏面の中央部には、合成回路部４５が設けられている。ホイップアンテナ３０の基端部の給電点Ｐ３０には、同軸線３７の中心導体の一方端が接続され、その他方端は合成回路部４５に接続される。同軸線３７の外部導体は、反射鏡２１の外周部に接続される。また、ホイップアンテナ３１の基端部の給電点Ｐ３１には、同軸線３８の中心導体の一方端が接続され、その他方端は合成回路部４５に接続される。同軸線３８の外部導体は、反射鏡２１の外周部に接続される。また、パラボラアンテナ２０の受信部２２は同軸線２５を介して合成回路部４５に接続される。
【００５２】
合成回路部４５は、受信部２２から同軸線２５を介して供給された衛星放送中間周波信号φＡと、ホイップアンテナ３０から同軸線３７を介して供給された地上波受信信号φＢ１と、ホイップアンテナ３１から同軸線３８を介して供給された地上波受信信号φＢ２とを合成し、合成されたテレビ放送信号φＣを出力する。
【００５３】
このとき、地上波受信信号φＢ１とφＢ２は位相が１８０度ずれているので、合成回路部４５は地上波受信信号φＢ１，φＢ２のうちのいずれか一方の信号（たとえばφＢ２）の位相を１８０度ずらして他方の信号（この場合、φＢ１）と合成し、合成した信号φＢと衛星放送中間周波信号φＡとを合成する。これにより、高い利得が得られる。テレビ放送信号φＣは、同軸線３９を介してテレビ受信機(図示せず)に供給される。
【００５４】
この実施の形態３では、衛星放送受信用のパラボラアンテナ２０の反射鏡２１の左右にＵＨＦ放送受信用のホイップアンテナ３０，３１を回動可能に設けたので、反射鏡２１の裏面方向から到来するＵＨＦ放送の電波も受信できる。したがって、ＵＨＦ放送の電波を高い利得で受信することができる。
【００５５】
また、反射鏡２１をホイップアンテナ３０，３１の地板として使用するので、装置寸法の小型化を図ることができる。
【００５６】
[実施の形態５]
図１５（ａ）は、この発明の実施の形態５によるアンテナ装置の構成を示す正面図であって、図８と対比される図である。図１５（ｂ）は、アンテナ装置の下面図である。図１５（ａ）（ｂ）において、このアンテナ装置が図８のアンテナ装置と異なる点は、回動支持部材３２，３３およびボルト３４，３５が除去され、長方形の反射板（地板）５０が追加されている点である。
【００５７】
図１５（ａ）において、平面アンテナ１の中心点を原点Ｏとし、図中の左右方向にＸ軸を設け、上下方向にＹ軸を設けると、ホイップアンテナ３０と３１は、Ｙ軸を中心線として線対称に配置されている。また、ホイップアンテナ３０，３１の各々は、Ｘ軸を中心線として線対称に形成されている。また、長方形の反射板５０の長辺はＸ軸に平行に配置され、その短辺はＹ軸に平行に配置されている。
【００５８】
また図１５（ｂ）に示すように、ホイップアンテナ３０，３１および平面アンテナ１の各々と反射板５０とは所定の間隔を開けて平行に配置されており、ホイップアンテナ３０，３１および平面アンテナ１の表面は１つの平面に沿って配置されている。ホイップアンテナ３０の裏面は、絶縁材料で形成された複数の支持棒５１を介して反射板５０の表面の一方端部に固定されている。ホイップアンテナ３１の裏面は、複数の支持棒５１を介して反射板５０の表面の他方端部に固定されている。地板２の裏面は、絶縁材料で形成された複数の支持棒５２を介して反射板５０の表面の中央部に固定されている。
【００５９】
図１６は、図１５（ｂ）のＸＶＩ−ＸＶＩ線断面図である。ただし、支持棒５１，５２の図示は省略されている。地板２の裏面の中央部には、地板２の孔２ａを覆うようにして受信部５３が設けられている。ホイップアンテナ３０の基端部の給電点Ｐ３０には同軸線３７の中心導体の一方端が接続され、その他方端は受信部５３に接続される。同軸線３７の外部導体は、地板２の外周部に接続される。また、ホイップアンテナ３１の基端部の給電点Ｐ３１には同軸線３８の中心導体の一方端が接続され、その他方端は受信部５３に接続される。同軸線３８の外部導体は、地板２の外周部に接続される。
【００６０】
受信部５３は、図１７に示すように、プローブ６０、コンバーター６１、合成回路６２、および位相器６３を含む。プローブ６０は、地板２の孔２ａの中心に配置され、平面アンテナ１によって収束された放送衛星からの電波を受信する。コンバーター６１は、プローブ６０によって受信された衛星放送からの電波を衛星放送中間周波信号φＡに変換する。位相器６３は、ホイップアンテナ３０から同軸線３７を介して供給される地上波受信信号φＢ１と、ホイップアンテナ３１から同軸線３８を介して供給される地上波受信信号φＢ２とを合成して地上波受信信号φＢを出力する。
【００６１】
このとき、地上波受信信号φＢ１とφＢ２は位相が１８０度ずれているので、位相器６３は、位相制御信号ＣＮＴに従って、地上波受信信号φＢ１，φＢ２のうちのいずれか一方の信号（たとえばφＢ２）の位相を所定角度だけずらして他方の信号（この場合、φＢ１）と合成する。これにより、ホイップアンテナ３０，３１の指向性を調整することができ、高い利得を得ることが可能となる。
【００６２】
合成回路６２は、コンバーター６１で生成された衛星放送中間周波信号φＡと、位相器６３で生成された地上波受信信号φＢとを合成し、合成されたテレビ放送信号φＣを出力する。テレビ放送信号φＣは、同軸線５４を介してテレビ受信機(図示せず)に供給される。
【００６３】
この実施の形態５では、衛星放送受信用の平面アンテナ１の左右にＵＨＦ放送受信用のホイップアンテナ３０，３１を設け、ホイップアンテナ３０，３１の指向性を調整する位相器６３を設けたので、ＵＨＦ放送の電波を高い利得で受信することができる。
【００６４】
また、平面アンテナ１とホイップアンテナ３０，３１で地板２を共用するので、装置寸法の小型化を図ることができる。
【００６５】
また、以上の実施の形態１〜５では、衛星放送受信用のアンテナとＵＨＦ放送受信用のアンテナを一体化したので、部品点数の低減化、低コスト化、小型化を図ることができる。たとえば、アンテナ装置をポール（マスト）の先端部に取付ける場合、１つの取付部材で取付けることができる。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６７】
１  平面アンテナ、１ａ  スロット、２  地板、２ａ  孔、３，２２，３６，５３  受信部、４  スペーサ、５  ダイポールアンテナ、５ａ，５ｂ  放射素子、６  給電ボックス、７  回転支持部材、７ａ  孔、７ｂ，７ｄ  ネジ孔、７ｃ  溝、８  回転軸、９，２６，３４，３５  ボルト、１０，１４，２５，３７〜３９，５４  同軸線、１１，４０，６０  プローブ、１２，４１，６１  コンバーター、１３，４２，６２  合成回路、２０  パラボラアンテナ、２１  反射鏡、２３  アーム、２４，４５  合成回路部、３０，３１  ホイップアンテナ、３１ａ  球体、３２，３３  回動支持部材、３３ａ  円筒部、３３ｂ，３３ｃ  平板部、５０  反射板、５１，５２  支持棒、６３  位相器。
【図１】
2012039538.tif 000003
【図２】
2012039538.tif 000004
【図３】
2012039538.tif 000005
【図４】
2012039538.tif 000006
【図５】
2012039538.tif 000007
【図６】
2012039538.tif 000008
【図７】
2012039538.tif 000009
【図８】
2012039538.tif 000010
【図９】
2012039538.tif 000011
【図１０】
2012039538.tif 000012
【図１１】
2012039538.tif 000013
【図１２】
2012039538.tif 000014
【図１３】
2012039538.tif 000015
【図１４】
2012039538.tif 000016
【図１５】
2012039538.tif 000017
【図１６】
2012039538.tif 000018
【図１７】
2012039538.tif 000019